【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
移動通信装置の近くで表示されたコンテンツに関心があるしるしを受信するステップと、
受信した関心があるしるしの情報を利用して前記移動通信装置を確認するステップと、
前記移動通信装置の確認を利用して、関心がある前記コンテンツ、関心がある前記コンテンツのコンテンツデータ、及び関心がある前記コンテンツのロケーション情報のうちの少なくとも１つを、前記移動通信装置に保存するために送るステップと
を有する方法。
【請求項２】
前記コンテンツとともに含まれているクイックレスポンスコードが、前記関心があるコンテンツを示すために前記移動通信装置を用いてスキャンされる、請求項１に記載の方法。
【請求項３】
前記移動通信装置によりスキャンされた前記クイックレスポンスコードが、前記コンテンツのソースに送られる、請求項２に記載の方法。
【請求項４】
クッキー及びジャバスクリプトのうち少なくとも１つを使用して前記移動通信装置を確認することを含む、請求項２に記載の方法。
【請求項５】
前記関心があるコンテンツのユニフォームリソースロケータを前記移動通信装置のキャッシュに保存するステップを有する請求項１に記載の方法。
【請求項６】
前記コンテンツに関心があることを示すために、近距離無線通信が前記移動通信装置により使用される、請求項１に記載の方法。
【請求項７】
前記移動通信装置の近距離無線通信の能力及び機能を使用して前記移動通信装置を確認することを含む、請求項６に記載の方法。
【請求項８】
前記移動通信装置の近くで提示されるコンテンツに関心があることを示すために、前記移動通信装置のユーザが、前記移動通信装置の媒体アクセス制御アドレスをコンテンツのソースに提供する、請求項１に記載の方法。
【請求項９】
提供された前記媒体アクセス制御アドレスを使用して、前記移動通信装置の場所を追跡し、前記移動通信装置に示されたコンテンツを特定するステップを有する請求項８に記載の方法。
【請求項１０】
前記移動通信装置の機能を使用して、前記移動通信装置の近くで提示された関心があるコンテンツを確認するステップを有する請求項１に記載の方法。
【請求項１１】
関心がある保存されている前記コンテンツ、及び前記関心があるコンテンツの保存されている前記ロケーション情報のうち少なくとも１つを使用して、前記コンテンツの意図されている提示時間より遅い時点で前記関心があるコンテンツを表示するステップを有する請求項１に記載の方法。
【請求項１２】
関心がある保存されている前記コンテンツ、及び前記関心があるコンテンツの保存されている前記ロケーション情報のうち少なくとも１つを使用して、前記コンテンツの元々の提示時間より遅い時点で前記関心があるコンテンツを前記移動通信装置において再生するステップを有する請求項１に記載の方法。
【請求項１３】
前記移動通信装置に示されたコンテンツについての情報をリストの形式で通信するステップを有する請求項１に記載の方法。
【請求項１４】
前記リストが前記移動通信装置においてドロップダウンメニューで提示される、請求項１３に記載の方法。
【請求項１５】
前記移動通信装置に何れのコンテンツを保存するか、及び前記移動通信装置に何れのコンテンツのロケーション情報を保存するかのうち少なくとも１つを選択するために、前記ドロップダウンメニューが使用される、請求項１４に記載の方法。
【請求項１６】
個々のディスプレイで如何なるコンテンツが再生されるか及び前記個々のディスプレイの場所を前記移動通信装置に関して特定するために、ネットワークビーコンが使用される、請求項１に記載の方法。
【請求項１７】
前記移動通信装置が、前記ネットワークビーコンを利用して、如何なるコンテンツが示されているかを特定する、請求項１６に記載の方法。
【請求項１８】
プログラムルーチン及びデータを保存するメモリと、前記プログラムルーチンを実行するプロセッサとを有する装置であって、
移動通信装置の近くで表示されたコンテンツに関心があるしるしを受信し、
受信した関心があるしるしの情報を利用して前記移動通信装置を確認し、
前記移動通信装置の確認を利用して、関心がある前記コンテンツ、関心がある前記コンテンツのコンテンツデータ、及び関心がある前記コンテンツのロケーション情報のうちの少なくとも１つを、前記移動通信装置に保存するために送る
ように形成される装置。
【請求項１９】
当該装置がコンテンツサーバを有する請求項１８に記載の装置。
【請求項２０】
後に参照するコンテンツを想起できるようにするシステムであって、
メディアコンテンツを提供する少なくとも１つのコンテンツソースと、
プログラムルーチン及びデータを保存するメモリと、前記プログラムルーチンを実行するプロセッサとを有する装置と、
関心があるコンテンツを少なくとも表示するディスプレイと
を有し、前記プロセッサは、前記プログラムルーチンを実行する際に、
移動通信装置の近くで表示されたコンテンツに関心があるしるしを受信し、
受信した関心があるしるしの情報を利用して前記移動通信装置を確認し、
前記移動通信装置の確認を利用して、関心がある前記コンテンツ、関心がある前記コンテンツのコンテンツデータ、及び関心がある前記コンテンツのロケーション情報のうちの少なくとも１つを、前記移動通信装置に保存するために送る
ように形成されている、システム。
【手続補正２】
【補正対象書類名】明細書
【補正対象項目名】００４８
【補正方法】変更
【補正の内容】
【００４８】
本発明の代替実施形態において、ユーザの移動通信装置及びユーザに提示された広告コンテンツ/製品のリストが、移動通信装置に保存されるように移動通信装置に送られ、これにより、ユーザはユーザ及び移動通信装置に提示された広告コンテンツ/製品のリストを参照することができ、ユーザは情報を要求するために広告コンテンツ/製品を選択することが可能になり、本発明によるサーバは、特定された関心があるコンテンツ、関心があるコンテンツのコンテンツデータ、及び関心があるコンテンツのロケーション情報のうちの少なくとも１つを、移動通信装置のメモリに保存するように送ることが可能である。そして、本方法300を終えることができる。
【手続補正３】
【補正対象書類名】明細書
【補正対象項目名】００５０
【補正方法】変更
【補正の内容】
【００５０】
＜関連出願＞
本願は2011年11月30日付けで出願された米国仮出願第61/565,134号による利益を享受し、その米国仮出願の内容全体は本願のリファレンスに組み入れられる。
以下、上記の実施形態に関連する手段を例示的に列挙する。
（付記１）
移動通信装置の近くで表示されたコンテンツに関心があるしるしを受信するステップと、
受信した関心があるしるしの情報を利用して前記移動通信装置を確認するステップと、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送るステップと
を有する方法。
（付記２）
前記コンテンツとともに含まれているクイックレスポンスコードが、前記関心があるコンテンツを示すために前記移動通信装置を用いてスキャンされる、付記１に記載の方法。
（付記３）
前記移動通信装置によりスキャンされた前記クイックレスポンスコードが、前記コンテンツのソースに送られる、付記２に記載の方法。
（付記４）
前記移動通信装置を確認する前記ステップにおいて、クッキー及びジャバスクリプトのうち少なくとも１つを使用する、付記２に記載の方法。
（付記５）
前記関心があるコンテンツのユニフォームリソースロケータを前記移動通信装置のキャッシュに保存するステップを有する付記１に記載の方法。
（付記６）
前記コンテンツに関心があることを示すために、近距離無線通信が前記移動通信装置により使用される、付記１に記載の方法。
（付記７）
前記移動通信装置を確認する前記ステップにおいて、前記移動通信装置の近距離無線通信の能力及び機能を使用する、付記６に記載の方法。
（付記８）
前記移動通信装置の近くで提示されるコンテンツに関心があることを示すために、前記移動通信装置のユーザが、前記移動通信装置の媒体アクセス制御アドレスをコンテンツのソースに提供する、付記１に記載の方法。
（付記９）
提供された前記媒体アクセス制御アドレスを使用して、前記移動通信装置の場所を追跡し、前記移動通信装置に示されたコンテンツを特定するステップを有する付記８に記載の方法。
（付記１０）
前記移動通信装置の機能を使用して、前記移動通信装置の近くで提示されたコンテンツに関心があることを示すステップを有する付記１に記載の方法。
（付記１１）
関心がある保存されている前記コンテンツ、及び前記関心があるコンテンツの保存されている前記ロケーション情報のうち少なくとも１つを使用して、前記コンテンツの提示に意図されている時間より遅い時点で前記関心があるコンテンツを表示するステップを有する付記１に記載の方法。
（付記１２）
関心がある保存されている前記コンテンツ、及び前記関心があるコンテンツの保存されている前記ロケーション情報のうち少なくとも１つを使用して、前記コンテンツの元々の提示時間より遅い時点で前記関心があるコンテンツを前記移動通信装置において再生するステップを有する付記１に記載の方法。
（付記１３）
前記移動通信装置に示されたコンテンツについての情報をリストの形式で通信するステップを有する付記１に記載の方法。
（付記１４）
前記リストが前記移動通信装置においてドロップダウンメニューで提示される、付記１３に記載の方法。
（付記１５）
前記移動通信装置に何れのコンテンツを保存するか、及び前記移動通信装置に何れのコンテンツのロケーション情報を保存するかのうち少なくとも１つを選択するために、前記ドロップダウンメニューが使用される、付記１４に記載の方法。
（付記１６）
個々のディスプレイ及び前記個々のディスプレイの場所で如何なるコンテンツが再生されているかを前記移動通信装置が特定するために、ネットワークビーコンが使用される、付記１に記載の方法。
（付記１７）
前記移動通信装置が、前記ネットワークビーコンを利用して、如何なるコンテンツが示されているかを特定する、付記１６に記載の方法。
（付記１８）
プログラムルーチン及びデータを保存するメモリと、前記プログラムルーチンを実行するプロセッサとを有する装置であって、
移動通信装置の近くで表示されたコンテンツに関心があるしるしを受信する処理と、
受信した関心があるしるしの情報を利用して前記移動通信装置を確認する処理と、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送る処理と
を実行するように形成される装置。
（付記１９）
当該装置がコンテンツサーバを形成する付記１８に記載の装置。
（付記２０）
後に参照するコンテンツを想起できるようにするシステムであって、
メディアコンテンツを提供する少なくとも１つのコンテンツソースと、
プログラムルーチン及びデータを保存するメモリと、前記プログラムルーチンを実行するプロセッサとを有する装置と、
関心があるコンテンツを少なくとも表示するディスプレイと
を有し、前記プログラムルーチンを実行する際に、前記プロセッサは、
移動通信装置の近くで表示されたコンテンツに関心があるしるしを受信する処理と、
受信した関心があるしるしの情報を利用して前記移動通信装置を確認する処理と、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送る処理と
を実行するように形成されている、システム。